(57)【要約】【課題】便蓋を取り外して使用する場合でも、便座を所定開位置で適切に規制できるようにする。【解決手段】回動軸に回動自在に支持され全開時に便座の回動を所定開位置で規制する便蓋を取り外し可能な便座ユニットにおいて、便座が取り外された状態で、ストッパ部材が、便蓋に代えて回動軸にアダプタを介して取り付けられる。これにより、便蓋を取り外して使用する場合でも、便座の回動を適切に所定開位置で規制することができる。また、ストッパ部材は、アダプタを介して回動軸に取り付けられるため、ストッパ部材を便座の回動の規制に適したものとしつつ、ストッパ部材の取り付けを適切に行なうことが可能である。【選択図】図４
2018126420.tif 000002
【特許請求の範囲】
【請求項１】
開閉可能な便座を有する便座ユニットであって、
全開時に前記便座の回動を所定開位置で規制する便蓋を回動自在に支持すると共に該便蓋を取り外し可能な回動軸を有するユニット本体と、
前記便蓋が取り外された状態で前記回動軸にアダプタを介して取り付けられ、前記便座の回動を前記所定開位置と略同じ位置で規制するストッパ部材と、
を備える便座ユニット。
【請求項２】
請求項１記載の便座ユニットであって、
前記アダプタは、弾性を有し、内周面が前記回動軸の外周面に嵌め込まれる有底筒状部材であり、
前記ストッパ部材は、内周面が前記有底筒状部材の外周面に圧入される筒状圧入部を有する、
便座ユニット。
【請求項３】
請求項２記載の便座ユニットであって、
前記有底筒状部材は、底部に開口が形成されている、
便座ユニット。
【請求項４】
請求項２または３記載の便座ユニットであって、
前記筒状圧入部は、内周面に圧入方向に延びる３つ以上の突起が周方向に等間隔で形成されている、
便座ユニット。
【請求項５】
請求項１記載の便座ユニットであって、
前記アダプタは、前記回動軸に取り付けられ、前記回動軸よりも大きい外径を有し、
前記アダプタの脱落を防止する抜け止めを備え、
前記ストッパ部材は、前記回動軸における前記アダプタの取付位置よりも基端側の外周面に嵌め込まれる窪み部を有する、
便座ユニット。
【請求項６】
請求項１記載の便座ユニットであって、
前記アダプタは、筒状部と、前記筒状部よりも径方向に延出された鍔部とを有する鍔付き筒状部材であり、前記鍔部が前記筒状部よりも前記回動軸の先端側を向くように前記鍔付き筒状部材が前記回動軸に嵌合され、
前記アダプタの脱落を防止する抜け止めを備え、
前記ストッパ部材は、前記筒状部の外周面に嵌め込まれる窪み部を有する、
便座ユニット。
【請求項７】
請求項５または６記載の便座ユニットであって、
前記窪み部は、円弧形を含む鍵穴形状に形成され、且つ、円弧形の両円弧端同士の間隔が前記回動軸または前記筒状部の外径よりも狭く形成されている、
便座ユニット。
【請求項８】
請求項７記載の便座ユニットであって、
前記窪み部は、前記回動軸または前記筒状部に嵌め込まれた状態で、両円弧端のうち一方の円弧端が前記回動軸の軸中心または前記筒状部の軸中心と同じ高さまたは該軸中心よりも上に位置し、他方の円弧端が前記軸中心よりも下に位置するように形成されている、
便座ユニット。
【請求項９】
請求項１記載の便座ユニットであって、
前記アダプタは、前記回動軸に嵌合される軸孔と、前記軸孔とは反対側の軸方向に延出された係合爪とを有し、
前記ストッパ部材は、前記係合爪に係合される被係合部を有する、
便座ユニット。
【請求項１０】
請求項９記載の便座ユニットであって、
前記係合爪は、返し付きの係合爪であり、
前記被係合部は、前記係合爪の外周面に当接すると共に該係合爪の返しに係合される半筒状部と、前記係合爪の外周面に当接すると共に該係合爪の返しに係合されない突起部とを有する、
便座ユニット。
【発明の詳細な説明】
【技術分野】
【０００１】
本発明は、開閉可能な便座を有する便座ユニットに関する。
【背景技術】
【０００２】
従来、この種の便座ユニットとしては、それぞれ開閉可能な便座と便蓋とを有するものが提案されている（例えば、特許文献１参照）。
【先行技術文献】
【特許文献】
【０００３】
【特許文献１】特開２０１５−５４０９１号公報
【発明の概要】
【発明が解決しようとする課題】
【０００４】
ところで、便座ユニットには便蓋の取り外しが可能なものがある。便蓋は、便座の開放時に当該便座を支持するストッパとして機能するが、便蓋を取り外して使用する場合、便座を支持することができなくなる。このため、便座が後方に大きく傾倒し、使用者が手動によって便座を閉じることが困難となったり、後方にタンクを有するタンク式のトイレにおいては、便座がタンクに接触したりする虞がある。
【０００５】
本発明の便座ユニットは、便蓋を取り外し可能なものにおいて、便蓋を取り外して使用する場合でも、便座を所定開位置で適切に規制できるようにすることを主目的とする。
【課題を解決するための手段】
【０００６】
本発明の便座ユニットは、上述の主目的を達成するために以下の手段を採った。
【０００７】
本発明の便座ユニットは、開閉可能な便座を有する便座ユニットであって、全開時に前記便座の回動を所定開位置で規制する便蓋を回動自在に支持すると共に該便蓋を取り外し可能な回動軸を有するユニット本体と、前記便蓋が取り外された状態で前記回動軸にアダプタを介して取り付けられ、前記便座の回動を前記所定開位置と略同じ位置で規制するストッパ部材と、を備えることを要旨とする。
【０００８】
この本発明の便座ユニットは、回動軸に回動自在に支持され、全開時に便座の回動を所定開位置で規制する便蓋を取り外すことができるものである。この便座ユニットでは、便蓋が取り外された状態で、ストッパ部材が、便蓋に代えて回動軸にアダプタを介して取り付けられる。これにより、便蓋を取り外して使用する場合でも、便座の回動を適切な位置で規制することができる。また、ストッパ部材は、アダプタを介して回動軸に取り付けられるため、ストッパ部材を便座の回動の規制に適したものとしつつ、ストッパ部材の取り付けを適切に行なうことが可能である。
【０００９】
こうした本発明の便座ユニットにおいて、前記アダプタは、弾性を有し、内周面が前記回動軸の外周面に嵌め込まれる有底筒状部材であり、前記ストッパ部材は、内周面が前記有底筒状部材の外周面に圧入される筒状圧入部を有するものとしてもよい。こうすれば、回動軸に対して有底筒状部材の嵌め込みとストッパ部材の圧入とにより、回動軸にストッパ部材を適切に固定することができる。この場合、前記有底筒状部材は、底部に開口が形成されているものとしてもよい。こうすれば、開口を空気抜きとして機能させて、回動軸への有底筒状部材の嵌め込みをより確実に行なうことが可能となる。これらの場合、前記筒状圧入部は、内周面に圧入方向に延びる３つ以上の突起が周方向に等間隔で形成されているものとしてもよい。こうすれば、ストッパ部材を有底筒状部材と同軸になるように圧入することが容易となり、ストッパ部材を取り付ける際の位置ズレを抑制することができる。
【００１０】
また、本発明の便座ユニットにおいて、前記アダプタは、前記回動軸に取り付けられ、前記回動軸よりも大きい外径を有し、前記アダプタの脱落を防止する抜け止めを備え、前記ストッパ部材は、前記回動軸における前記アダプタの取付位置よりも基端側の外周面に嵌め込まれる窪み部を有するものとしてもよいし、前記アダプタは、筒状部と、前記筒状部よりも径方向に延出された鍔部とを有する鍔付き筒状部材であり、前記鍔部が前記筒状部よりも前記回動軸の先端側を向くように前記鍔付き筒状部材が前記回動軸に嵌合され、前記アダプタの脱落を防止する抜け止めを備え、前記ストッパ部材は、前記筒状部の外周面に嵌め込まれる窪み部を有するものとしてもよい。こうすれば、ストッパ部材の窪み部を回動軸の外周面または筒状部の外周面に押し付けることにより、ストッパ部材を回動軸に容易に取り付けることができる。また、ストッパ部材を取り付けた後は、ストッパ部材が軸方向に外れ難くすることができる。これらの場合、前記窪み部は、円弧形を含む鍵穴形状に形成され、且つ、円弧形の両円弧端同士の間隔が前記回動軸または前記筒状部の外径よりも狭く形成されているものとしてもよい。こうすれば、ストッパ部材が側方（軸方向に直交する方向）へ外れ難くすることができる。さらにこの場合、前記窪み部は、前記回動軸または前記筒状部に嵌め込まれた状態で、両円弧端のうち一方の円弧端が前記回動軸の軸中心または前記筒状部の軸中心と同じ高さまたは該軸中心よりも上に位置し、他方の円弧端が前記軸中心よりも下に位置するように形成されているものとしてもよい。こうすれば、他方の円弧端が軸中心よりも上の高さとなるまでストッパ部材を回動させる操作力を付与することにより、ストッパ部材を容易に取り外すことができる。
【００１１】
また、本発明の便座ユニットにおいて、前記アダプタは、前記回動軸に嵌合される軸孔と、前記軸孔とは反対側の軸方向に延出された係合爪とを有し、前記ストッパ部材は、前記係合爪に係合される被係合部を有するものとしてもよい。こうすれば、回動軸にアダプタを嵌合させた状態で、ストッパ部材をアダプタに係合させることにより、ストッパ部材をアダプタを介して回動軸に取り付けることができる。ここで、アダプタの回動軸に対する脱落を防止するための抜け止めを備えるものとしてもよい。アダプタが係合爪を有するものにおいて、前記係合爪は、返し付きの係合爪であり、前記被係合部は、前記係合爪の外周面に当接すると共に該係合爪の返しに係合される半筒状部と、前記係合爪の外周面に当接すると共に該係合爪の返しに係合されない突起部とを有するものとしてもよい。こうすれば、ストッパ部材を回動軸に対して傾けることにより、ストッパ部材の取り外しを容易に行なうことができる。
【図面の簡単な説明】
【００１２】
【図１】便蓋１４が取り付けられた状態の便座ユニット１０を示す外観図である。
【図２】便座ストッパ３０が取り付けられた状態の便座ユニット１０を示す外観図である。
【図３】便座ストッパ３０が便座１２の回動を規制しているときの便座ユニット１０を示す側面図である。
【図４】第１実施例におけるユニット本体２０と便蓋回動軸２１と便座ストッパ３０とアダプタ５０とを示す分解斜視図である。
【図５】便蓋回動軸２１と便座ストッパ３０とアダプタ５０とを示す分解斜視図である。
【図６】便座ストッパ３０がユニット本体２０の便蓋回動軸２１に取り付けられた状態を示す部分断面図である。
【図７】第１実施例におけるユニット本体２０と便蓋駆動軸２２と便座ストッパ４０とアダプタ６０とを示す分解斜視図である。
【図８】便蓋駆動軸２２と便座ストッパ４０とアダプタ６０とを示す分解斜視図である。
【図９】第２実施例におけるユニット本体２０と便蓋回動軸２１と便座ストッパ１３０とアダプタ１５０とを示す分解斜視図である。
【図１０】便蓋回動軸２１と便座ストッパ１３０とアダプタ１５０とを示す分解斜視図である。
【図１１】ユニット本体２０の便蓋回動軸２１にアダプタ１５０が取り付けられた状態と便座ストッパ１３０が取り付けられた状態とを示す部分拡大図である。
【図１２】便座ストッパ１３０がユニット本体２０の便蓋回動軸２１に取り付けられた状態を示す部分断面図である。
【図１３】第２実施例におけるユニット本体２０と便蓋駆動軸２２と便座ストッパ１４０とアダプタ１６０とを示す分解斜視図である。
【図１４】便蓋駆動軸２２と便座ストッパ１４０とアダプタ１６０とを示す分解斜視図である。
【図１５】ユニット本体２０の便蓋駆動軸２２にアダプタ１６０が取り付けられた状態を示す部分拡大図である。
【図１６】第３実施例におけるユニット本体２０と便蓋回動軸２１と便座ストッパ２３０とアダプタ２５０とを示す分解斜視図である。
【図１７】便蓋回動軸２１と便座ストッパ２３０とアダプタ２５０とを示す分解斜視図である。
【図１８】ユニット本体２０の便蓋回動軸２１にアダプタ２５０が取り付けられた状態を示す部分拡大図である。
【図１９】アダプタ２５０を示す外観斜視図である。
【図２０】便座ストッパ２３０がユニット本体２０の便蓋回動軸２１に取り付けられた状態を示す部分断面図である。
【発明を実施するための形態】
【００１３】
本発明を実施するための形態を実施例を用いて説明する。
【実施例】
【００１４】
［第１実施例］
図１は便蓋１４が取り付けられた状態の便座ユニット１０を示す外観図であり、図２は便座ストッパ３０が取り付けられた状態の便座ユニット１０を示す外観図であり、図３は便座ストッパ３０が便座１２の回動を規制しているときの便座ユニット１０を示す側面図である。なお、図中の左右方向（幅方向）は便座１２や便蓋１４の回動軸（駆動軸）に沿う方向であり、図中の上下方向は重力方向に沿う方向であり、図中の前後方向は左右方向および上下方向に直交する方向である。
【００１５】
便座ユニット１０は、洗浄水を加温して図示しないノズルから噴射することにより使用者の局部を洗浄可能な温水洗浄便座として構成され、駆動モータからの駆動力により便座１２や便蓋１４を自動開閉可能な自動開閉機能を有している。この便座ユニット１０は、図１，２に示すように、便蓋１４を取り付けて使用可能であると共に便蓋１４を取り外して使用することもできる。そして、便座ユニット１０は、便蓋１４を取り付けて使用する場合には、図１に示すように、便器（図示せず）の上面後方に設置されるユニット本体２０と、ユニット本体２０に対して回動可能な便座１２と、全閉時には便座１２に覆い被さり（図１（ａ）参照）全開時には便座１２の回動を所定の開位置（便座１２の先端側が起立した起立位置、全開位置）で規制（図１（ｂ）参照）する便蓋１４と、により構成される。また、便座ユニット１０は、便蓋１４を取り外して使用する場合には、便蓋１４に代えて、図２，３に示すように、便座１２の回動を便蓋１４と略同じ位置で規制する便座ストッパ３０，４０がユニット本体２０の左右の回動軸（便蓋回動軸２１，便蓋駆動軸２２）に取り付けられる。
【００１６】
図４は第１実施例におけるユニット本体２０と便蓋回動軸２１と便座ストッパ３０とアダプタ５０とを示す分解斜視図であり、図５は便蓋回動軸２１と便座ストッパ３０とアダプタ５０とを示す分解斜視図であり、図６は便座ストッパ３０がユニット本体２０の便蓋回動軸２１に取り付けられた状態を示す部分断面図である。図４，５に示すように、ユニット本体２０の右側の便蓋回動軸２１には、便座ストッパ３０がアダプタ５０を介して取り付けられる。便蓋回動軸２１は、樹脂材料により形成された円筒部材（筒状部材）であり、本実施例では、ユニット本体２０のハウジング２５と一体的に成形される。アダプタ５０は、ゴムなどの弾性材料により形成され、便蓋回動軸２１の外周面に圧入によって嵌め込まれる内周面を有する有底円筒部材（有底筒状部材）である。このアダプタ５０は、底部に丸穴状の開口５１が形成されている。これにより、アダプタ５０を便蓋回動軸２１に嵌め込む際にアダプタ５０の内部に溜まる空気が開口５１を介して抜けるため、アダプタ５０の底部が便蓋回動軸２１の先端面に突き当たるまで当該アダプタ５０を嵌め込むことが容易となる。
【００１７】
便座ストッパ３０は、図５に示すように、樹脂材料により右側面視において略台形形状に形成され、上面３０ａと前面３０ｂと後面３０ｃと右側面３０ｄとを有し、左側と下側とが開口されている。この便座ストッパ３０は、ユニット本体２０に対して取り付けられたときに便座ストッパ３０の上面３０ａ（左端縁および後端縁）と右側面３０ｄ（後端縁および下端縁）とがユニット本体２０のハウジング２５の表面と滑らかに繋がるようになっている。また、便座１２は側面視において後端部が略角形に形成され、便座ストッパ３０の前面３０ｂには、便座１２が回動する際に後端部の角部が干渉しないように窪んだ逃がし部３９が形成されると共に逃がし部３９の下方に作業者が指を引っ掛けて便座ストッパ３０を取り外すことができる指掛け部３３が形成されている。
【００１８】
便座ストッパ３０は、右側面３０ｄに対する裏側の面（裏面）３１から左方に互いに平行に立設された一対の内壁３２と、両内壁３２に挟まれるように裏面３１から内壁３２と略同じ高さまで延出されアダプタ５０に圧入（挿入）される円筒状（筒状）の圧入嵌合部３５とを有する。圧入嵌合部３５は、アダプタ５０の外周面の外径よりも若干大きな内径の内周面が形成されている。そして、圧入嵌合部３５の内周面には、圧入方向に延びる３本の突起（リブ）３５ａが周方向に等間隔、すなわち１２０度間隔で形成されている。なお、突起３５ａの本数は、３本以上であれば、何本であっても構わない。圧入嵌合部３５は、その内周面がアダプタ５０の外周面と同軸になるように圧入され、３本の突起３５ａがアダプタ５０の外周面に食い込むことによって、アダプタ５０に固定される（図６参照）。本実施例では、各突起３５ａは、圧入嵌合部３５の口元部において内径が拡がるように面取りされている。これにより、圧入嵌合部３５をアダプタ５０に圧入する際の圧入性を良好とすることができる。
【００１９】
図７は第１実施例におけるユニット本体２０と便蓋駆動軸２２と便座ストッパ４０とアダプタ６０とを示す分解斜視図であり、図８は便蓋駆動軸２２と便座ストッパ４０とアダプタ６０とを示す分解斜視図である。図７，８に示すように、ユニット本体２０の左側の便蓋駆動軸２２には、便座ストッパ４０がアダプタ６０を介して取り付けられる。便蓋駆動軸２２は、対向する一対の平面を有する二面幅軸であり、ユニット本体２０に内蔵される駆動ユニット（駆動モータ）２４により回動可能に構成される。便座ユニット１０は、便蓋１４が取り付けられている状態で、駆動ユニット２４を駆動することにより、便蓋１４を開閉可能となっている。アダプタ６０は、ゴムなどの弾性材料により形成され、便蓋駆動軸２２の外周面に圧入によって嵌め込まれる内周面を有する有底円筒部材（有底筒状部材）である。このアダプタ６０は、便蓋駆動軸２２の二面幅軸の外周面に嵌め込むことができるように、内周面が二面幅孔によって形成されている。また、アダプタ６０の底部には、アダプタ５０と同様に、便蓋駆動軸２２に嵌め込む際の空気抜きとして機能する丸穴状の開口６１が形成されている。
【００２０】
便座ストッパ４０は、図８に示すように、樹脂材料により左側面視において略台形形状に形成され、上面４０ａと前面４０ｂと後面４０ｃと左側面４０ｄとを有し、右側と下側とが開口されている。この便座ストッパ４０は、便座ストッパ３０と同様に、ユニット本体２０に取り付けられたときに便座ストッパ４０の上面４０ａ（右端縁および後端縁）と左側面４０ｄ（後端縁および下端縁）とがユニット本体２０のハウジング２５の表面と滑らかに繋がるようになっている。また、便座ストッパ４０の前面４０ｂには、便座１２が回動する際に後端部の角部が干渉しないように窪んだ逃がし部４９が形成されると共に逃がし部４９の下方に作業者が指を引っ掛けて便座ストッパ４０を取り外すことができる指掛け部４３が形成されている。
【００２１】
便座ストッパ４０は、便座ストッパ３０と同様に、左側面４０ｄに対する裏側の面（裏面）４１から右方に立設された一対の内壁４２と、両内壁４２に挟まれるように延出された円筒状（筒状）の圧入嵌合部４５とを有する。なお、圧入嵌合部４５の内周面には、便座ストッパ３０の圧入嵌合部３５と同様の３本の突起（リブ）４５ａが形成されている。この便座ストッパ４０では、圧入嵌合部４５の突起４５ａの本数を、便座ストッパ３０の圧入嵌合部３５の突起３５ａよりも多くしてもよい（例えば、６本）。この場合、アダプタ６０の内周面を二面幅ではなく円形としても、アダプタ６０の内周面と便蓋駆動軸２２の外周面との密着部分に圧入嵌合部４５の突起を食い込ませることができるため、便座ストッパ４０（圧入嵌合部４５）を便蓋駆動軸２２に対して同軸に取り付けることができる。なお、便座ストッパ４０の圧入嵌合部４５の構成は、便座ストッパ３０の圧入嵌合部３５の構成と同様であるため、詳細な説明は省略する。
【００２２】
便座ユニット１０では、便蓋１４に代えて便座ストッパ３０，４０を取り付けて使用する場合、図２，３に示すように、便座ストッパ３０，４０は、便座１２が開方向に回動すると、便座１２の回動部表面側が便座ストッパ３０，４０の前面３０ｂ，４０ｂと当接することによって、便座１２の回動を起立位置（全開位置）で規制する。これにより、便蓋１４を取り外して使用する場合でも、便座ストッパ３０，４０によって、便座１２の回動を適切な位置で規制することが可能となる。このため、便座１２が後方に傾倒し過ぎて、使用者が便座１２を閉じることが困難となったり、便器の後方にタンクを有するものにおいては便座１２が後方のタンクに接触したりするのを抑制することができる。
【００２３】
以上説明した第１実施例の便座ユニット１０では、便座１２の回動を所定の開位置で規制する便座ストッパ３０，４０を、便蓋１４に代えてそれぞれ便蓋回動軸２１，便蓋駆動軸２２にアダプタ５０，６０を介して取り付ける。これにより、便蓋１４を取り外して使用する場合でも、便座１２の回動を適切に所定開位置で規制することができる。
【００２４】
また、第１実施例の便座ユニット１０では、アダプタ５０，６０はそれぞれ便蓋回動軸２１，便蓋駆動軸２２に嵌め込まれる弾性を有する有底円筒部材（有底筒状部材）として構成され、便座ストッパ３０，４０には、アダプタ５０，６０の外周面に圧入される円筒状（筒状）の内周面を有する圧入嵌合部３５，４５が形成される。これにより、便座ストッパ３０，４０の便蓋回動軸２１，便蓋駆動軸２２への取付・固定を適切に行なうことができる。また、後に便蓋１４を取り付けたい場合でも、便座ストッパ３０，４０を容易に取り外すことができる。さらに、アダプタ５０，６０の底部に空気抜きのための開口５１，６１を形成したから、アダプタ５０，６０の便蓋回動軸２１，便蓋駆動軸２２への取付を確実に行なうことができる。加えて、圧入嵌合部３５，４５の内周面に圧入方向に延びる３本以上の突起（リブ）３５ａ，４５ａを周方向に等間隔で形成したから、圧入嵌合部３５，４５を便蓋回動軸２１，便蓋駆動軸２２に同軸に圧入することが容易となり、便座ストッパ３０，４０を取り付ける際の位置ズレを抑制することができる。
【００２５】
第１実施例では、圧入嵌合部３５，４５の内周面に圧入方向に延びる突起３５ａ，４５ａを形成するものとしたが、こうした突起を形成しないものとしてもよい。
【００２６】
第１実施例では、アダプタ５０，６０の底部に開口５１，６１を形成するものとしたが、開口を形成しないものとしてもよい。
【００２７】
[第２実施例]
第１実施例の便座ユニット１０では、ユニット本体２０の便蓋回動軸２１にアダプタ５０を介して便座ストッパ３０を軸方向に圧入するのに対して、第２実施例の便座ユニット１１０では、ユニット本体２０の便蓋回動軸２１の先端側にアダプタ１５０を取り付け、便蓋回動軸２１の基端側の外周面に側方から便座ストッパ３０を嵌め込むものである。
【００２８】
図９は第２実施例におけるユニット本体２０と便蓋回動軸２１と便座ストッパ１３０とアダプタ１５０とを示す分解斜視図であり、図１０は便蓋回動軸２１と便座ストッパ１３０とアダプタ１５０とを示す分解斜視図である。また、図１１はユニット本体２０の便蓋回動軸２１にアダプタ１５０が取り付けられた状態と便座ストッパ１３０が取り付けられた状態とを示す部分拡大図であり、図１２は便座ストッパ１３０がユニット本体２０の便蓋回動軸２１に取り付けられた状態を示す部分断面図である。図９，１０に示すように、ユニット本体２０の右側の便蓋回動軸２１には、便座ストッパ１３０がアダプタ１５０を介して取り付けられる。便蓋回動軸２１の軸中心には、スクリュー孔２１ａが形成されている。アダプタ１５０は、便蓋回動軸２１よりも外径が大きい環状部材である。このアダプタ１５０は、中心に貫通孔１５１が形成されており、貫通孔１５１を介して便蓋回動軸２１のスクリュー孔２１ａにスクリュー１５５が螺合されることにより、図１１（ａ）に示すように、便蓋回動軸２１の先端面に同軸に固定される。
【００２９】
便座ストッパ１３０は、図１０，１１（ｂ）に示すように、便座ストッパ３０と同様の樹脂材料により形成された外形形状（上面１３０ａ、前面１３０ｂ、後面１３０ｃおよび右側面１３０ｄ）を有する。また、便座ストッパ１３０の前面１３０ｂには、便座１２が回動する際に後端部の角部が干渉しないように窪んだ逃がし部１３９や、ユニット本体２０に取り付けられた状態で作業者が指を引っ掛けることができる指掛け部１３３が形成される（図１１（ｂ）参照）。便座ストッパ１３０は、右側面１３０ｄの裏側の面（裏面）１３１から左方に互いに平行に立設された一対の内壁１３２と、内壁１３２の端縁付近に上記裏面１３１に対して左右方向に間隔を空けて上下方向および前後方向に沿うように延設された嵌合板１３４を有する。嵌合板１３４には下方が開口された窪み部１３５が形成され、便座ストッパ１３０は、嵌合板１３４の窪み部１３５が便蓋回動軸２１の外周面に上方から嵌合されることによって便蓋回動軸２１に取り付けられる。上述したように、便蓋回動軸２１の先端面にアダプタ１５０が固定されているため、便座ストッパ１３０は、便蓋回動軸２１に取り付けられると、軸方向に外れないようになっている。
【００３０】
窪み部１３５は、本実施例では、図１２に示すように、便蓋回動軸２１の外周面に沿った円弧形を含む鍵穴形状の窪み部であり、円弧形の円弧端１３５ａ，１３５ｂ同士の間隔が便蓋回動軸２１の直径よりも若干狭く、すなわち円弧形の中心角が１８０度よりも若干大きく形成されている。これにより、嵌合板１３４の窪み部１３５が便蓋回動軸２１に嵌合されると、便座ストッパ１３０は、上方に外れ難くなっている。また、窪み部１３５の円弧端１３５ａ，１３５ｂは、窪み部１３５が便蓋回動軸２１に嵌合された状態で、前側の円弧端１３５ａが便蓋回動軸２１の軸中心と略同一の高さに位置し、後側の円弧端１３５ｂが便蓋回動軸２１の軸中心よりも下方に位置するように形成されている。これにより、図１２に示すように、便座ストッパ１３０の前面（指掛け部１３３）を後方（上斜め後ろ）に向かって押し出し、円弧端１３５ｂを便蓋回動軸２１の軸中心よりも上になるように便座ストッパ１３０を回動させることによって、便座ストッパ１３０を取り外すことができる。
【００３１】
図１３は第２実施例におけるユニット本体２０と便蓋駆動軸２２と便座ストッパ１４０とアダプタ１６０とを示す分解斜視図であり、図１４は便蓋駆動軸２２と便座ストッパ１４０とアダプタ１６０とを示す分解斜視図であり、図１５はユニット本体２０の便蓋駆動軸２２にアダプタ１６０が取り付けられた状態を示す部分拡大図である。図１３，１４に示すように、ユニット本体２０の左側の便蓋駆動軸２２には、便座ストッパ１４０がアダプタ１６０を介して取り付けられる。アダプタ１６０は、図１４に示すように、便蓋駆動軸２２の二面幅軸が嵌め込まれる二面幅孔の内周面が形成された円筒部（筒状部）１６１と、円筒部１６１の端縁から径方向に延出される鍔部１６２とを有する。このアダプタ１６０は、鍔部１６２を便蓋駆動軸２２の先端側に向けて当該便蓋駆動軸２２に嵌め込まれることにより取り付けられ、Ｏリングなどの伸縮性を有するリング部材１６５によって抜け止めがなされる（図１５参照）。
【００３２】
便座ストッパ１４０は、図１４に示すように、便座ストッパ４０と同様の樹脂材料により形成された外形形状（上面１４０ａ、前面１４０ｂ、後面１４０ｃおよび左側面１４０ｄ）を有する。また、便座ストッパ１３０の前面１４０ｂには、便座１２が回動する際に後端部の角部が干渉しないように窪んだ逃がし部１４９や、ユニット本体２０に取り付けられた状態で作業者が指を引っ掛けることができる指掛け部１４３が形成されている。便座ストッパ１４０は、便座ストッパ１３０と同様に、裏面１４１から立設された一対の内壁１４２や、一対の内壁１４２の端縁間に延設された嵌合板１４４を有する。
【００３３】
嵌合板１４４には、アダプタ１６０の円筒部１６１の外周面に上方から嵌め込まれる窪み部１４５を有する。窪み部１４５は、アダプタ１６０の円筒部１６１の外周面に沿った円弧形を含む鍵穴形状の窪み部であり、円弧形の円弧端１４５ａ，１４５ｂ同士の間隔がアダプタ１６０の円筒部１６１の直径よりも若干狭く、すなわち円弧形の中心角が１８０度よりも若干大きく形成されている。なお、窪み部１４５の円弧端１４５ａ，１４５ｂは、窪み部１４５が円筒部１６１に嵌合された状態で、前側の円弧端１４５ａが円筒部１６１の軸中心と略同一の高さに位置し、後側の円弧端１４５ｂが円筒部１６１の軸中心よりも下方に位置するように形成されている。
【００３４】
このように、第２実施例の便座ユニット１１０では、ユニット本体２０の便蓋回動軸２１の先端側に便蓋回動軸２１よりも外形が大きい環状のアダプタ１５０を取付・固定し、便蓋回動軸２１の外周面の基端側に側方から便座ストッパ１３０の窪み部１３５を嵌合させる。またユニット本体２０の便蓋駆動軸２２に円筒部１６１と鍔部１６２とを有するアダプタ１６０を取付・固定し、円筒部１６１の外周面に側方から便座ストッパ１４０の窪み部１４５を嵌合させる。これにより、便座ストッパ１３０，１４０をそれぞれ便蓋回動軸２１，便蓋駆動軸２２に軸方向に固定することができ、便蓋１４に代えて便座１２の回動を起立位置（全開位置）で適切に規制することができる。
【００３５】
また、第２実施例の便座ユニット１１０では、窪み部１３５は、便蓋回動軸２１の外周面に沿った円弧形を含む鍵穴形状の窪み部とし、円弧形の円弧端１３５ａ，１３５ｂ同士の間隔が便蓋回動軸２１の直径よりも若干狭く形成される。また、窪み部１４５は、アダプタ１６０の円筒部１６１の外周面に沿った円弧形を含む鍵穴形状の窪み部とし、円弧形の円弧端１４５ａ，１４５ｂ同士の間隔が円筒部１６１の直径よりも若干狭く形成される。これにより、便座ストッパ１３０，１４０を取り付けた後、上方に外れ難くすることができる。加えて、窪み部１３５の円弧端１３５ａ，１３５ｂの一方の円弧端１３５ａを便蓋回動軸２１の軸中心と略同じ高さの位置に形成し、他方の円弧端１３５ｂを便蓋回動軸２１の軸中心よりも下の位置に形成する。また、窪み部１４５の円弧端１４５ａ，１４５ｂの一方の円弧端１４５ａを円筒部１６１の軸中心と略同じ高さの位置に形成し、他方の円弧端１４５ｂを円筒部１６１の軸中心よりも下の位置に形成する。これにより、円弧端１３５ａ，１４５ａが軸中心の上に移動するように、便座ストッパ１３０，１４０を回動させることにより、便座ストッパ１３０，１４０を容易に取り外すことができる。
【００３６】
第２実施例の便座ユニット１１０では、便座ストッパ１３０において、窪み部１３５の一方の円弧端１３５ａを便蓋回動軸２１の軸中心と略同じ高さの位置に形成すると共に他方の円弧端１３５ｂを便蓋回動軸２１の軸中心よりも下の位置に形成するものとした。しかし、窪み部１３５の一方の円弧端１３５ａを便蓋回動軸２１の軸中心よりも上の位置に形成すると共に他方の円弧端１３５ｂを便蓋回動軸２１の軸中心よりも下の位置に形成するものとしてもよい。同様に、便座ストッパ１４０において、窪み部１４５の一方の円弧端１４５ａを円筒部１６１の軸中心よりも上の位置に形成すると共に他方の円弧端１４５ｂを円筒部１６１の軸中心よりも下の位置に形成するものとしてもよい。
【００３７】
[第３実施例]
第１実施例の便座ユニット１０では、ユニット本体２０の便蓋回動軸２１にアダプタ５０を介して便座ストッパ３０を軸方向に圧入するのに対して、第３実施例の便座ユニット１１０では、ユニット本体２０の便蓋回動軸２１に係合爪２５３を有するアダプタ２５０を取り付け、アダプタ２５０の係合爪２５３に便座ストッパ２３０の被係合部２３５を係合させるものである。
【００３８】
図１６は第３実施例におけるユニット本体２０と便蓋回動軸２１と便座ストッパ２３０とアダプタ２５０とを示す分解斜視図であり、図１７は便蓋回動軸２１と便座ストッパ２３０とアダプタ２５０とを示す分解斜視図であり、図１８はユニット本体２０の便蓋回動軸２１にアダプタ２５０が取り付けられた状態を示す部分拡大図である。図１６，１７に示すように、ユニット本体２０の右側の便蓋回動軸２１には、便座ストッパ２３０がアダプタ２５０を介して取り付けられる。アダプタ２５０は、樹脂材料により形成され、便蓋回動軸２１に嵌合される軸孔２５１と、軸孔２５１の開口とは反対側に軸方向に延出された係合爪２５３とを有する円筒部材である。また、アダプタ２５０は、軸孔２５１の底部の中心に貫通孔２５２が形成されており、貫通孔２５２を介して便蓋回動軸２１のスクリュー孔２１ａにスクリュー２５５が螺合されることにより、図１８に示すように、便蓋回動軸２１に同軸に固定される。
【００３９】
図１９はアダプタ２５０を示す外観斜視図である。アダプタ２５０の係合爪２５３は、図１９に示すように、先端から基端へ離れるにつれて拡径されるテーパ部２５３ａと、テーパ部２５３ａの基端に形成された返し部２５３ｂとを有する。また、係合爪２５３は、軸方向に延びる４本の切れ込み部（スリット）２５３ｃが周方向に等間隔で形成され、径方向に変形し易くされている。
【００４０】
便座ストッパ２３０は、図１７に示すように、便座ストッパ３０と同様の樹脂材料により形成された外形形状（上面２３０ａ、前面２３０ｂ、後面２３０ｃおよび右側面２３０ｄ）を有する。また、便座ストッパ２３０の前面２３０ｂには、便座１２が回動する際に後端部の角部が干渉しないように窪んだ逃がし部２３９や、ユニット本体２０に取り付けられた状態で作業者が指を引っ掛けることができる指掛け部２３３が形成されている。便座ストッパ２３０は、右側面２３０ｄの裏側の面（裏面）２３１から左方に互いに平行に立設された一対の内壁２３２と、両内壁２３２に挟まれるように上記裏面２３１から延出されアダプタ２５０の係合爪２５３に係合される被係合部２３５とを有する。被係合部２３５は、樹脂材料により右側面２３０ｄと一体的に形成され、同一円周上に２つの半円筒部（半筒状部）２３６，２３７および突起部２３８を有する。２つの半円筒部２３６，２３７は、同一円周上における上部に形成され、係合爪２５３のテーパ部２５３ａと当接すると共に返し部２５３ｂと係合される。また、突起部２３８は、同一円周上における下部に形成され、係合爪２５３のテーパ部２５３ａに当接すると共に返し部２５３ｂに係合されないようになっている。これにより、図２０に示すように、便蓋回動軸２１にアダプタ２５０を取り付けると共にアダプタ２５０の係合爪２５３に便座ストッパ２３０の被係合部２３５（半円筒部２３６，２３７および突起部２３８）を押し付けることにより、係合爪２５３の返し部２５３ｂを半円筒部２３６，２３７に係合させて、便座ストッパ２３０を便蓋回動軸２１に取り付けることができる。このとき、突起部２３８は係合爪２５３のテーパ部２５３ａと当接するため、便座ストッパ２３０は、上方向に容易に外れない。また、便座ストッパ２３０の前面（指掛け部２３３）に指を掛けて引き上げることにより、係合爪２５３を変形させて半円筒部２３６，２３７との係合を解除して、便座ストッパ２３０を取り外すことができる。
【００４１】
なお、便座ユニット２０の左側の便蓋駆動軸２２に便座ストッパ２４０（図１６参照）を取り付ける場合には、便蓋駆動軸２２と便座ストッパ２４０との間に介在するアダプタの軸孔の内周面を、便蓋駆動軸２２の二面幅軸に嵌合可能な二面幅孔とする点を除いて、便座ストッパ２３０およびアダプタ２５０と同様の構成を用いることができる。
【００４２】
このように、第３実施例の便座ユニット２１０では、ユニット本体２０の便蓋回動軸２１に係合爪２５３を有する円筒状（筒状）のアダプタ１５０を取付・固定し、アダプタ２５０の係合爪２５３に便座ストッパ２３０の被係合部２３５を係合させる。同様に、ユニット本体２０の便蓋駆動軸２２に係合爪を有するアダプタを取付・固定し、アダプタの係合爪に便座ストッパ２４０の被係合部を係合させる。これにより、左右の便座ストッパ２３０，２４０をそれぞれ便蓋回動軸２１，便蓋駆動軸２２に軸方向に固定することができ、便蓋１４に代えて便座１２の回動を起立位置（全開位置）で適切に規制することができる。
【００４３】
また、第３実施例の便座ユニット２１０では、係合爪２５３に係合される被係合部２３５は、同一円周上に形成された半円筒部２３６，２３７および突起部２３８を有する。これにより、便座ストッパ２３０の取り外しを容易にすることができる。
【００４４】
第３実施例では、被係合部２３５を、半円筒部２３６，２３７と突起部２３８とにより構成するものとしたが、複数の半円筒部のみを同一円周上に配置することよって構成するものとしてもよい。
【００４５】
実施例の便座ユニットでは、便蓋１４の自動開閉機能を有し、便蓋１４の左右の回動軸の一方が駆動ユニット２４により駆動される便蓋駆動軸２２としたが、これに限定されるものではなく、自動開閉機能を有さないものとしてもよい。この場合、便蓋駆動軸２２に代えて、便蓋１４の回動に対して抵抗力を付与するダンパ機能を有してもよい。
【００４６】
実施例の主要な要素と課題を解決するための手段の欄に記載した発明の主要な要素との対応関係について説明する。実施例では、便座ユニット１０，１１０，２１０が「便座ユニット」に相当し、ユニット本体２０が「ユニット本体」に相当し、アダプタ５０，６０，１５０，１６０，２５０が「アダプタ」に相当し、便座ストッパ３０，４０，１３０，１４０，２３０，２４０が「ストッパ部材」に相当する。また、スクリュー１５５やリング部材１６５が「抜け止め」に相当する。
【００４７】
なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００４８】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００４９】
本発明は、便座ユニットの製造産業などに利用可能である。
【符号の説明】
【００５０】
１０，１１０，２１０  便座ユニット、１２  便座、１４  便蓋、２０  ユニット本体、２１  便蓋回動軸、２１ａ  スクリュー孔、２２  便蓋駆動軸、２４  駆動ユニット、２５  ハウジング、３０，４０，１３０，１４０，２３０，２４０  便座ストッパ、３０ａ，４０ａ，１３０ａ，１４０ａ，２３０ａ  上面、３０ｂ，４０ｂ，１３０ｂ，１４０ｂ，２３０ｂ  前面、３０ｃ，４０ｃ，１３０ｃ，１４０ｃ，２３０ｃ  後面、３０ｄ，１３０ｄ，２３０ｄ  右側面、４０ｄ，１４０ｄ  左側面、３１，４１，１３１，１４１，２３１  裏面、３２，４２，１３２，１４２，２３２  内壁、３３，４３，１３３，１４３，２３３  指掛け部、３５，４５  圧入嵌合部、３５ａ，４５ａ  突起、３９，４９，１３９，１４９，２３９  逃がし部、５０，６０，１５０，１６０，２５０  アダプタ、５１，６１  開口、１３４，１４４  嵌合板、１３５，１４５  窪み部、１３５ａ，１３５ｂ，１４５ａ，１４５ｂ  円弧端、１５１  貫通孔、１５５，２５５  スクリュー、１６１  円筒部、１６２  鍔部、１６５  リング部材、２３５  被係合部、２３６，２３７  半円筒部、２３８  突起部、２５１  軸孔、２５２  貫通孔、２５３  係合爪、２５３ａ  テーパ部、２５３ｂ  返し部、２５３ｃ  切れ込み部。
【図１】
2018126420.tif 000003
【図２】
2018126420.tif 000004
【図３】
2018126420.tif 000005
【図４】
2018126420.tif 000006
【図５】
2018126420.tif 000007
【図６】
2018126420.tif 000008
【図７】
2018126420.tif 000009
【図８】
2018126420.tif 000010
【図９】
2018126420.tif 000011
【図１０】
2018126420.tif 000012
【図１１】
2018126420.tif 000013
【図１２】
2018126420.tif 000014
【図１３】
2018126420.tif 000015
【図１４】
2018126420.tif 000016
【図１５】
2018126420.tif 000017
【図１６】
2018126420.tif 000018
【図１７】
2018126420.tif 000019
【図１８】
2018126420.tif 000020
【図１９】
2018126420.tif 000021
【図２０】
2018126420.tif 000022